【手続補正書】
【提出日】平成19年2月22日(2007.2.22)
【手続補正１】
【補正対象書類名】明細書
【補正対象項目名】００２９
【補正方法】変更
【補正の内容】
【００２９】
さらに、上記（１１）の液体適用器具は、容器把持部の軸の方向と容器先端部のノズル
の軸の方向を同じ方向とするとコンパクトさ、不使用時の収納性がよい。また、（１２）
容器把持部の軸の方向とノズルの軸の方向が、異なる方向になるようにして、容器先端部
を容器把持部から傾斜させたかたちにすると、容器本体を握ったときの安定性及び操作性
が向上し、容器把持部の下部における楕円の長径と直角な面上にノズルの軸があると、吸
液パッドに力をさらに加えやすくなる。
【手続補正２】
【補正対象書類名】明細書
【補正対象項目名】００４２
【補正方法】変更
【補正の内容】
【００４２】
吸液パッド１０は、液体を吸収保持した吸液部材１１を洗浄対象に当てて前後左右にこ
すって汚れを落とすことができるものであれば、どのような形状であってもよい。吸液部
材１１と固定部材１２とを一体的に成形すること、容器先端部４の突部１７に嵌入して使
用すること、洗浄中に突部１７から外れないこと、洗浄後容易に突部１７から脱着できる
ことなどを考慮すると、平板状が好ましい。洗浄対象に当たる面の形状は、円形、長方形
などどのような形のものでも使用できるが、ひし形、楕円形、長い形の２等辺三角形（正
三角形の高さを２倍程度に伸ばした形）などが好ましく、また、ひし形及び三角形の角は
アール加工して丸みを付けておくことが好ましい。
【手続補正３】
【補正対象書類名】明細書
【補正対象項目名】００４５
【補正方法】変更
【補正の内容】
【００４５】
図７は、固定部材１２の開口２３の形状の例を固定部材１２の外表面２４側から見た図
である。上述のように、開口２３の形状は突部１７に対応するものであるが、突部１７に
固定部材１２が嵌入してしっかり固定されればよいから、どのような形状であってもよい
。すなわち、具体的には円形、楕円形（図７（ａ））、多（六）角形（図７（ｂ））、そ
の他これらが組み合わさった任意の形状（図７（ｃ））が挙げられる。開口２３は、通常、対応する突部１７の断面と同じ形状にするが、必ずしもそうする必要はなく、円形断面の突部１７に六角形の開口２３の固定部材１２を組み合わせてもよいし、逆に、六角形断面の突部１７に円形の開口２３の固定部材１２を組み合わせることもでき、その組合せは自由であり、より強固に固定されるものを適宜選択することが好ましい。固定部材１２の開口２３を、前記のひし形、楕円形や変形三角形などの形状の重心の位置に設けることにより、洗浄時に、吸液パッド１０の吸液部材１１をバランスよく汚れに押し付けて洗浄することができる。
また、突部１７が複数あれば、当然その数に応じて固定部材１２に開口２３を設ける必
要がある。例えば突部１７が２個で開口２３が２個の場合、図７（ｄ）に示すように、固
定部材１２の開口２３を、重心を構成ように長手方向に沿って並べて設けてもよいし、図
７（ｅ）のように長手方向に直角に並べて設けてもよい。吸液パッド１０は、普通長手方
向に動かすことになるから、２個の開口２３は長手方向に沿って設けることが好ましい。
【手続補正４】
【補正対象書類名】明細書
【補正対象項目名】００４６
【補正方法】変更
【補正の内容】
【００４６】
本発明のハンディタイプの液体適用器具１に用いるノズル１６は、容器本体３からの液
体を吸液パッド１０の吸液部材１１に噴出して湿らせたり、あるいは汚れに直接噴出する
ものである。ノズル１６は、図２、図３において１６で示され、これらの例において、筒
状の突部１７の内側に配置されている。
本発明のハンディタイプの液体適用器具１は、ノズル１６から噴出する液体の噴出方向
を切り替えて、例えば、ノズル１６の軸２０と同じ方向に一直線で噴出させたり、或いは
シャワー状、ラッパ状ないし噴霧状に噴出する手段を有することが好ましい。図１の噴出
切替レバー１５は、レバーを左右に動かすと、ノズル１６から噴出される液体の噴出方向
が切り替えるものである。例えば、ノズル１６の先端には図８（ａ）に示すように、ノズ
ル１６先端の中央に３個の直進噴出用の噴出口２５があり、ノズル１６先端のコーナー（
角）に６個の斜め噴出用の噴出口２６がある。斜め噴出用の噴出口２６は、ノズル軸２０
に対して１３５度の角度で噴出するように設けられている。また、ノズル１６先端の内部
には、斜め噴出用の噴出口２６を閉じるための筒状の図８（ｂ）に示すノズルパッキン２
８が取り付けられている。筒状のノズルパッキン２８の外形は、ノズル１６先端の内部の
形状に加工されているから、ノズル１６又はノズルパッキン２８をレバーなど公知の手段
で動かしてノズルパッキン２８をノズル１６先端に押し込むと、ノズル１６先端の斜め噴
出用の噴出口２６はノズルパッキン２８で塞がれる。しかし、直進噴出用の噴出口２５は
、ノズルパッキン２８先端の開口により塞がれない。したがって、ノズルパッキン２８を
ノズル１６先端に相対的に押し込んで、液体を直線状に噴出することができる。逆にノズ
ルパッキン２８をノズル１６先端から離せば、斜め噴出用の噴出口２６及び直進噴出用の
噴出口２５の両方から液体を放出して、汚れと吸液パッド１０の両方に液体を供給するこ
とができる。
図１の噴出切替レバー１５を動かすとノズル１６が前後に移動する仕組みになって
いる。すなわち、図９に示すように、ノズル１６の基部のノブ２７は、液体収容容器２の
ケーシングに固定されたガイド板３４のスリットガイド３５を通して噴出切替レバー１５
のノブ受け用の孔３６に挿入され、レバー１５を左右に動かすと、ノブ受け用の孔３６が
レバー１５の回転に伴ってノブ２７を従えて、スリットガイド３５に沿って移動する。ノ
ブ２７の移動はノズル１６そのものの移動であるから、レバー１５の回転により、ノブ受
け用の孔３６が移動するとおりにノブ２７を介してノズル１６は前後に図９（ｂ）にｄで
示される距離を移動し、上記のノズルパッキン２８の作用によって液体の噴出を切り替え
ることができる。
【手続補正５】
【補正対象書類名】明細書
【補正対象項目名】００４９
【補正方法】変更
【補正の内容】
【００４９】
係る脱着機構の一例を図１０に示す。
当接面２１を有する押出し板２９の裏側（液体収容容器側）には突部１７と平行に３本
の押出し棒３０が取り付けられており、３本の押出し棒３０の端部は押出しリング３１に
固定されている。３本の押出し棒３０及び押出しリング３１は一体的な構造になっている
。突部１７がその基部で固定されている容器先端部４のケーシング部材（押出し板２９と
平行な板状部材）には３本の押出し棒３０が貫通してスライドする孔が設けられている。
したがって、ケーシング部材は、３本の押出し棒３０に沿って押出し板２９と押出しリング３１との間を相対的に移動できる。また、押出しリング３１の外周上部にリングの中心から突出する形で押出しノブ３２が設けられており、押出しノブ３２は容器先端部４近傍の吸液パッド脱着つまみ１４と接続している。
したがって、洗浄終了後、吸液パッド脱着つまみ１４を液体収容容器２の先端方向にス
ライドさせると、該つまみ１４と接続した押出しノブ３２、押出しリング３１、押出し棒
３０及び押出し板２９が容器先端方向にスライドする。固定部材１２の開口２３と突部１
７の突起１８と嵌合して固定部材１２の弾性で固定されていた吸液パッド１０は押出し板
２９で押されて、固定部材１２部は収縮し、さらに押されてその力が弾性によって固定す
る力を上回り、吸液パッド１０は突部１７から外れる。このとき、吸液パッド１０を下に
して吸液パッド脱着つまみ１４を操作することにより、使用済みの吸液パッド１０に全く
触れずに廃棄処理することができるので、衛生的である。
【手続補正６】
【補正対象書類名】明細書
【補正対象項目名】００５５
【補正方法】変更
【補正の内容】
【００５５】
さらに、図１から分かるように、容器本体３は、容器把持部６の上で屈曲しているが、
本発明の液体適用器具１は、容器本体３の軸１９の方向（長手方向）と、液体を送り出す
ノズル１６の軸２０の方向（押出し板２９に垂直な方向）が同じ、すなわち容器本体３は、ノズル１６まで屈曲せず、ストレートであってもよい。コンパクトで持ち運びや保管性に優れるので、携帯用で用いるときに便利である。
一方、図１のように屈曲して、容器本体３の軸１９の方向とノズル１６の軸２０の方向
が異なってもよく、吸液パッド１０の操作性、安定性が向上する。この場合、前記の両者
の軸がなす角度は、１２０度以上であることが好ましい。さらに、かかる角度を有する両
者の軸によって形成される面と容器把持部６の下部８における楕円の長径とは垂直に交差
する構成であることが好ましい。両者の軸が交差せず、面が形成されないことがあるが、
このようなときは、容器本体３の軸１９及びノズル１６の軸２０がそれぞれ前記楕円の長
径と直角な２つの平面上にあり、２つの平面を重ねたときに形成される角度として前記の
角度であることが好ましい。また、容器本体３の長手方向と、ノズル１６の軸２０方向と
でなす角度は、図２においてθで示される角度をいう。容器本体３にこのような角度を設
けることにより、容器先端部４に装着された吸液パッド１０を汚れに確実に安定して対向
させることができる。こうすることによって、容器本体３を握ったとき、握った手の向き
と吸液パッド１０の方向がフィットして、上述の容器把持部６の上部７と基部それぞれの
楕円構造の効果と相俟って、さらに、吸液パッド１０の操作性、安定性が向上する。
【手続補正７】
【補正対象書類名】明細書
【補正対象項目名】００５９
【補正方法】変更
【補正の内容】
【００５９】
それから、吸液パッド１０の固定部材１２の開口２３（図３（ｂ）参照）を突部１７に
、固定部材１２の底面が押出し板２９にピッタリ当接するまで嵌め込む。容器本体３の容
器把持部６を掴んで、容器本体３に圧力を加えると、容器内の液体は押し出されてノズル
１６から噴出される。このとき、噴出切替レバー１５を操作することによって、液体をス
トレートに噴出して洗浄対象の汚れに直接液体を吹き付けたり、あるいはシャワー状に噴
出させて広範に吹き付けたり、又は吸液パッド１０に液体を供給することができる。
【手続補正８】
【補正対象書類名】明細書
【補正対象項目名】００６５
【補正方法】変更
【補正の内容】
【００６５】
【図１】本発明の液体適用器具１の一実施態様を、液体適用器具全体の概観を示す図である。
【図２】図２（ａ）は、図１の液体適用器具１を取り外し可能な部材（吸液パッド１０、キャップ９）を離して示す側面図であり、図２（ｂ）は、図２（ａ）の左側から見た液体収容容器２（吸液パッド１０を外した状態）の正面図である。
【図３】吸液パッド１０と突部１７との結合、吸液パッド１０と押出し板２９との当接の状態を示す図である。図３（ａ）は、結合された状態を示し、図３（ｂ）は、離れた状態を示す。
【図４】図４は、固定部材１２を、当接面２１に当てずに、突部１７に嵌入し、そこだけで固定する状態の一例を示す。
【図５】図５は、突部１７自体に平面の当接面２１を設けて固定部材１２を嵌入し、固定した状態の一例を示す。
【図６】図６は、異なる種々の断面を有する台形状の突起１８の効果を説明するための図である。図６（ａ）は、突起１８の先端側及び基部側の両方にスロープを有する台形であり、図６（ｂ）は、突起１８の先端側のみにスロープを有し、図６（ｃ）は、突起１８の基部側のみにスロープを有する台形を示す。また、図６（ｄ）は、突起１８が基部まで伸びている台形を示す。
【図７】図７は、図７（ａ）〜（ｃ）に固定部材１２の開口の形状の例を示し、図７（ｄ）〜（ｅ）に複数の開口の配置の例を示す。
【図８】図８（ａ）は、本発明の液体適用器具に用いるノズル１６の一例を示し、図８（ｂ）は、該ノズル１６の先端内側に挿入して斜め噴出用の噴出口２６を塞ぐノズルパッキンを示す。
【図９】図９は、液体の噴出を切り替える機構の一例を示すものであり、主要な構成部材の動作機構を示す。（ａ）は正面から見た図であり、（ｂ）は上から見た図である。
【図１０】図１０は、脱着の機構の一例を示すものであり、構成部材を分解図で示す。
【図１１】図１１は、吸液パッド１０の脱着操作の実例を示す図であり、図１１（ａ）は洗浄直後人差し指を吸液パッド脱着つまみ１４に付けた状態を示し、図１１（ａ′）はそのときの吸液パッドを除いた容器先端部４の突部１７と押出し板２９の状態を示す。図１１（ｂ）は吸液パッド脱着つまみ少し移動させた状態を示す。また、図１１（ｃ）は吸液パッド脱着つまみ１４を押し切り、吸液パッドが外れた状態を示し、図１１（ｃ′）はそのときの容器先端部４の状態を示す。
【図１２】図１２は、押出し板２９の変更例を示し、図１２（ａ）は、突起１７の上下に２枚の押出し板２９を、図１２（ｂ）は、突起の上下左右に４枚の押出し板２９を設けた例を示す。
【手続補正９】
【補正対象書類名】図面
【補正対象項目名】図１１
【補正方法】変更
【補正の内容】
【図１１】
2005246190.tif 000001
【手続補正１０】
【補正対象書類名】図面
【補正対象項目名】図１２
【補正方法】変更
【補正の内容】
【図１２】
2005246190.tif 000002